【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
外部装置とネットワークを介して通信可能に接続される画像処理装置であって、
前記外部装置から前記ネットワークを介して画面情報を取得する取得手段と、
前記取得手段が取得した画面情報に基づく画面を表示する表示手段と、
第１の入力手段により画像データを入力することを指示するための第１の表示オブジェクト及び第２の入力手段により画像データを入力することを指示するための第２の表示オブジェクトの少なくとも１つについて表示の要否を判断し、前記取得手段が取得した画面情報にデータの入力を要求する所定のフォームが記述されている場合に、前記判断の結果に従って前記表示手段に前記第１の表示オブジェクト及び前記第２の表示オブジェクトの少なくとも１つを表示させる制御手段と、
を備えることを特徴とする画像処理装置。
【請求項２】
外部装置とネットワークを介して通信可能に接続される画像処理装置であって、
前記外部装置から前記ネットワークを介して画面情報を取得する取得手段と、
前記取得手段が取得した画面情報に基づく画面を表示する表示手段と、
前記取得手段が取得した画面情報にデータの入力を要求する所定のフォームが記述されている場合に、第１の入力手段により画像データを入力することを指示するための第１の表示オブジェクト及び第２の入力手段により画像データを入力することを指示するための第２の表示オブジェクトを、前記表示手段の同一画面上に表示させる制御手段と、
を備えることを特徴とする画像処理装置。
【請求項３】
前記第１の入力手段または前記第２の入力手段により入力される画像データを、前記ネットワークを介して送信する送信手段を更に備え、
前記取得手段が取得した画面情報に記述された前記所定のフォームが、データの入力を要求するとともに当該入力したデータの送信を要求するものである場合に、前記送信手段は、前記第１の入力手段または前記第２の入力手段により入力された画像データを前記ネットワークを介して送信することを特徴とする請求項１または２に記載の画像処理装置。
【請求項４】
前記画像処理装置を操作するユーザを識別する識別手段を更に備え、
前記制御手段は、前記識別手段により識別されたユーザに応じて、前記第１の表示オブジェクト及び前記第２の表示オブジェクトの少なくとも１つについての表示の要否を判断することを特徴とする請求項１に記載の画像処理装置。
【請求項５】
前記第１の入力手段及び前記第２の入力手段のそれぞれについて、各入力手段の使用が許可されているユーザを特定することが可能な情報を保持する保持手段を更に備え、
前記制御手段は、前記保持手段に保持されている情報に基づいて、前記識別手段により識別されたユーザによる使用が許可されている入力手段に対応する表示オブジェクトを表示すべきであると判断することを特徴とする請求項４に記載の画像処理装置。
【請求項６】
前記制御手段は、前記第１の入力手段または前記第２の入力手段により入力される画像データの送信先となる外部装置に応じて、前記第１の表示オブジェクト及び前記第２の表示オブジェクトの少なくとも１つについての表示の要否を判断することを特徴とする請求項１に記載の画像処理装置。
【請求項７】
前記画像処理装置の状態を判別する判別手段を更に備え、
前記制御手段は、前記判別手段により判別された前記画像処理装置の状態に応じて、前記第１の表示オブジェクト及び前記第２の表示オブジェクトの少なくとも１つについての表示の要否を判断することを特徴とする請求項１に記載の画像処理装置。
【請求項８】
原稿上の画像を読み取って画像データを生成する読取手段を更に備え、
前記第１の入力手段は、前記読取手段により生成された画像データを入力し、
前記判別手段は、前記読取手段に原稿が置かれているか否かを判別し、
前記制御手段は、前記判別手段により前記読取手段に原稿が置かれていると判別された場合は、前記第１の表示オブジェクトを表示すべきであると判断し、前記判別手段により前記読取手段に原稿が置かれていないと判別された場合は、前記第１の表示オブジェクトを表示すべきでないと判断することを特徴とする請求項７に記載の画像処理装置。
【請求項９】
前記第２の入力手段は、前記画像処理装置に接続可能な携帯端末から画像データを読み出して入力し、
前記判別手段は、前記画像処理装置に前記携帯端末が接続されているか否かを判別し、
前記制御手段は、前記判別手段により前記画像処理装置に前記携帯端末が接続されていると判別された場合は、前記第２の表示オブジェクトを表示すべきであると判断し、前記判別手段により前記画像処理装置に前記携帯端末が接続されていないと判別された場合は、前記第２の表示オブジェクトを表示すべきでないと判断することを特徴とする請求項７に記載の画像処理装置。
【請求項１０】
前記制御手段による判断の結果、表示すべきであると判断された表示オブジェクトが存在しない場合に、前記表示手段は、前記取得手段が取得した前記所定のフォームが記述された画面情報に基づく画面において、エラーメッセージを表示することを特徴とする請求項１から９のいずれか１項に記載の画像処理装置。
【請求項１１】
前記外部装置は、ウェブサーバであって、
前記取得手段が取得する画面情報は、前記ウェブサーバにより提供されるＨＴＭＬデータであって、
前記表示手段は、前記ウェブサーバから提供されたＨＴＭＬデータを解析し、当該ＨＴＭＬデータに基づく画面を表示するウェブブラウザであることを特徴とする請求項１から１０のいずれか１項に記載の画像処理装置。
【請求項１２】
外部装置とネットワークを介して通信可能に接続される画像処理装置の制御方法であって、
前記外部装置から前記ネットワークを介して画面情報を取得する取得工程と、
前記取得工程で取得した画面情報に基づく画面を表示する表示工程と、
第１の入力手段により画像データを入力することを指示するための第１の表示オブジェクト及び第２の入力手段により画像データを入力することを指示するための第２の表示オブジェクトの少なくとも１つについて表示の要否を判断し、前記取得工程で取得した画面情報にデータの入力を要求する所定のフォームが記述されている場合に、前記判断の結果に従って前記表示工程において前記第１の表示オブジェクト及び前記第２の表示オブジェクトの少なくとも１つを表示させる制御工程と、
を備えることを特徴とする画像処理装置の制御方法。
【請求項１３】
外部装置とネットワークを介して通信可能に接続される画像処理装置の制御方法であって、
前記外部装置から前記ネットワークを介して画面情報を取得する取得工程と、
前記取得工程で取得した画面情報に基づく画面を表示する表示工程と、
前記取得工程で取得した画面情報にデータの入力を要求する所定のフォームが記述されている場合に、第１の入力手段により画像データを入力することを指示するための第１の表示オブジェクト及び第２の入力手段により画像データを入力することを指示するための第２の表示オブジェクトを、前記表示工程において同一画面上に表示させる制御工程と、
を備えることを特徴とする画像処理装置の制御方法。
【請求項１４】
請求項１２または１３に記載の画像処理装置の制御方法をコンピュータに実行させるためのプログラム。
【手続補正２】
【補正対象書類名】明細書
【補正対象項目名】発明の名称
【補正方法】変更
【補正の内容】
【発明の名称】画像処理装置、画像処理装置の制御方法及びプログラム
【手続補正３】
【補正対象書類名】明細書
【補正対象項目名】００１７
【補正方法】変更
【補正の内容】
【００１７】
上記の目的を達成するために本発明の画像処理装置は、外部装置とネットワークを介して通信可能に接続される画像処理装置であって、前記外部装置から前記ネットワークを介して画面情報を取得する取得手段と、前記取得手段が取得した画面情報に基づく画面を表示する表示手段と、第１の入力手段により画像データを入力することを指示するための第１の表示オブジェクト及び第２の入力手段により画像データを入力することを指示するための第２の表示オブジェクトの少なくとも１つについて表示の要否を判断し、前記取得手段が取得した画面情報にデータの入力を要求する所定のフォームが記述されている場合に、前記判断の結果に従って前記表示手段に前記第１の表示オブジェクト及び前記第２の表示オブジェクトの少なくとも１つを表示させる制御手段と、を備えることを特徴とする。
【手続補正４】
【補正対象書類名】明細書
【補正対象項目名】００１８
【補正方法】変更
【補正の内容】
【００１８】
また、本発明の画像処理装置は、外部装置とネットワークを介して通信可能に接続される画像処理装置であって、前記外部装置から前記ネットワークを介して画面情報を取得する取得手段と、前記取得手段が取得した画面情報に基づく画面を表示する表示手段と、前記取得手段が取得した画面情報にデータの入力を要求する所定のフォームが記述されている場合に、第１の入力手段により画像データを入力することを指示するための第１の表示オブジェクト及び第２の入力手段により画像データを入力することを指示するための第２の表示オブジェクトを、前記表示手段の同一画面上に表示させる制御手段と、を備えることを特徴とする。